(57)【要約】      （修正有）【課題】輪切り状にスライスされた果実を絞る果実絞り具において、果実に直接触れることなく、容易な操作で衛生的に、且つ効率よく輪切り状の果実を絞ることができる果実絞り具を提供する。【解決手段】本果実絞り具１は、本体部２と、該本体部２の先端に形成された、輪切り状の果実の一端を貫通保持する貫通保持部１０と、前記本体部２に回動自在に装着される、果実の他端を貫通し保持する巻取部２０と、該巻取部２０を回動させる回動部３０と、を備えたことを特徴とする。【選択図】図１
0003153884.tif 000002
【実用新案登録請求の範囲】
【請求項１】
本体部と、該本体部の先端に形成された、輪切り状の果実の一端を貫通保持する貫通保持部と、前記本体部に回動自在に装着される、果実の他端を貫通し保持する巻取部と、該巻取部を回動させる回動部と、を備えたことを特徴とする果実絞り具。
【請求項２】
前記貫通保持部の先端は、本体先方側へ湾曲されている請求項１記載の果実絞り具。
【請求項３】
前記巻取部は、先端に湾曲状の鉤部を有する請求項１または２記載の果実絞り具。
【請求項４】
前記巻取部は、回動部の回動軸先端に少なくとも一つ以上形成されている請求項３記載の果実絞り具。
【請求項５】
前記巻取部は略Ｓ字状に形成されている請求項３または４記載の果実絞り具。
【考案の詳細な説明】
【技術分野】
【０００１】  本考案は、輪切り状にスライスされた果実を絞る果実絞り具において、特に、果実に直接触れることなく衛生的に、且つ効率よく絞ることができる果実絞り具に関する。
【背景技術】
【０００２】  レモンやオレンジ等の柑橘類は、料理や紅茶等の飲料に果汁を添加することで、素材の味や風味を高める働きがある。通常、料理や紅茶等に使用する際、輪切り状にスライスした柑橘類を、指で絞りながら果汁を添加していた。しかしながら、スライス状の果実を指で押し潰して果汁を添加することは、衛生面で問題があるとともに、指に果汁が付着して不快な思いを感じた。【０００３】  それらの問題を解決するために、従来、厚く切り分けた小型柑橘類であっても、果肉は飛び散ることがなく効率よく果汁を採取できる果汁搾り具がある（例えば、特許文献１参照）。
上掲文献１の果汁搾り具は、薄肉部により連結された回動可能にした合成樹脂製の二枚の半円盤構造を有する、輪切りなどにしたレモン等の小型柑橘類から果汁を搾取する絞り具であって、二枚の半円盤がそれぞれ異なる径であることを特徴とする。【０００４】  また、スプーンの腹でレモンを搾る等を操作の必要がなく、レモンの香りを短時間で最大限に滲出させ、且つカップ内へのレモンの出し入れを容易にするレモンストレイナーがある（例えば、特許文献２参照）。
上掲文献２のレモンストレイナーは、下部を開閉可能に係合され、上部に手持ち片を形成してなる二枚の薄板挟着板となすと共に、上記挟着板には無数の微細な網目孔を形成したことを特徴とする。
【先行技術文献】
【特許文献】
【特許文献１】実用新案登録第３１４４５０８号公報
【特許文献２】実開平６−６６５１６号公報
【考案の概要】
【考案が解決しようとする課題】
【０００５】  しかしながら、上掲特許文献１の果汁搾り具は、押しつぶす際に多くの力を必要とするため、力の弱い女性や高齢者には果汁を効率よく搾取することは困難であった。【０００６】  また上掲特許文献２のレモンストレイナーにおいては、果汁の優れた絞り効率は実現できず、さらに網目に薄切り片のカスが溜まった際、滲出効果が劣化するという欠点があった。【０００７】  そこで本考案は上記の点に鑑み、輪切り状にスライスされた果実を絞る果実絞り具において、果実に直接触れることなく、容易な操作で衛生的に、且つ効率よく輪切り状の果実を絞ることができる果実絞り具を提供することにある。
【解決を解決するための手段】
【０００８】  上記課題を解決するために本考案の果実絞り具は、本体部と、該本体部の先端に形成された、輪切り状の果実の一端を貫通保持する貫通保持部と、前記本体部に回動自在に装着される、果実の他端を貫通し保持する巻取部と、該巻取部を回動させる回動部と、を備えたことを特徴とする。
【０００９】  また前記貫通保持部の先端は、本体先方側へ湾曲されている。
【００１０】  また前記巻取部は、先端に湾曲状の鉤部を有する。
【００１１】  また前記巻取部は、回動部の回動軸先端に少なくとも一つ以上形成されている。
【００１２】  また前記巻取部は略Ｓ字状に形成されている
【考案の効果】
【００１３】  本体部の先端に形成された、輪切り状の果実の一端を貫通保持する貫通保持部と、前記本体部に回動自在に装着される、果実の他端を貫通し保持する巻取部と、該巻取部を回動させる回動部と、を備えたことにより、輪切り状の果実に直接指で触れることなく絞り操作ができる。そのため、衛生的であるとともに容易に、且つ効率よく輪切り状の果実を絞ることができる。
【図面の簡単な説明】
【００１４】
【図１】本考案における果実絞り具の斜視図である。
【図２】前記果実絞り具の使用状態の側面図である。
【図３】前記果実絞り具の使用状態の斜視図である。
【図４】他の好適例である巻取部を示す。
【図５】他の好適例である操作部を示す。
【考案を実施するための形態】
【００１５】  以下、本考案における果実絞り具の実施の形態を図面に基づいて説明する。
本考案の果実絞り具は、果実に直接触れることなく、容易な操作で衛生的に、且つ効率よく輪切り状の果実を絞ることができることを特徴とする。
【００１６】  図示する果実絞り具１は、本体部２と、該本体部２の先端に形成された、輪切り状の果実の一端を貫通保持する貫通保持部１０と、前記本体部２に回動自在に装着される、果実の他端を貫通し保持する巻取部２０と、該巻取部２０を回動させる回動部３０と、を備えたことを特徴とする。
【００１７】  本体部２は、やや湾曲状に形成された薄板短冊状の中央部３と、中央部３の一端に湾曲状に突出した先方部４と、中央部３の他端に形成された垂直板状の後方部４とからなる。また前記本体部２は、使用勝手や量産を考慮した際、プラスチック等の合成樹脂で一体的に形成することが望ましい。
【００１８】  貫通保持部１０は、輪切り状の果実の一端を貫通保持するもので、本体部２の先方部４の下方に装着されている。前記貫通保持部１０はプラスチック等の合成樹脂等の素材からなり、前記本体部２と一体的に形成されている。
【００１９】  また、前記貫通保持部１０の先端部１１は尖頭状を呈しており、特に、本体部１の先方側へ湾曲される状態に形成されている。そのことにより、輪切り状の果実を貫通させ果汁を搾取した際、果実は上方へ送り込まれて操作中に落下することを防止できる。
【００２０】  巻取部２０は、果実の他端を貫通し保持するもので、先端には湾曲状の鉤部２１を有する。また前記巻取部２０は、後述詳細による回動部３０の回動軸３１の先端に少なくとも一つ以上形成されている。また特に、前記巻取部２０は、図示するように両端に鉤部２１を有する略Ｓ字状に形成することが望ましい。
【００２１】  なお前記巻取部２０は、前述の略Ｓ字状に限定されるものではなく、図４の（ａ）に示すように先端に鉤部２１を有する釣り針状に形成することや、図４の（ｂ）に示すように回動軸３１を中心に三叉状に、さらに図４の（ｃ）に示すように回動軸３１を中心に十字状に形成することもできる。
【００２２】  回動部３０は、前記巻取部２０を回転させるもので、操作部３２と回転軸３１とを備える。回転軸３１は前記本体部２の後方部４の下端に摺動自在に装着されており、一端には巻取部２０が、他端には操作部３２が装着されている。また前記回転軸３１は、防錆特性を有するステンレス素材で形成することが好ましい。
【００２３】  また前記回転軸３１は、後方部４の下端に摺動自在に装着されているため、操作部３２を左右方向（前後方向）に移動させることで、前記巻取部２０の位置を自在に調節することができる。そのため、大きさの異なる輪切り状の果実においても自在に対応することができる。
【００２４】  操作部３２は、前記巻取部２０を回転させるもので、握り易く操作が容易になように花弁状に形成されている。また前記操作部３２は図示する形状に限定されるものではなく、図５に示すようにＬ字のクランク状に形成してもよい。
【００２５】  次に、本考案における果実絞り具の使用方法を図２の（ａ）（ｂ）（ｃ）に基づいて説明する。
先ず（ａ）に示すように、貫通保持部１０の先端部１１を、輪切り状である果実Ａの一端の輪郭部（皮近傍）に貫通させる。次に、巻取部２０の鉤部２１を、果実Ａの他端の輪郭部（皮近傍）に貫通させる。
【００２６】  次に（ｂ）に示すように、操作部３２を操作して巻取部２０を回動させる。そのことにより、輪切り状の果実Ａは捻られた状態となる。なおこの際、輪切り状の果実Ａの先方は、貫通保持部１０の上方へと移行される。
【００２７】  さらに（ｃ）に示すように、操作部３２を回動させる。すると輪切り状の果実Ａはさらに捻られ、果実の果汁Ｂを搾取することができる。またこの際、輪切り状の果実Ａの先方は、貫通保持部１０の上方へとさらに移行される。
【００２８】  上述の一連の操作により、輪切り状の果実に直接触れることなく、容易な操作で衛生的に、且つ効率よく輪切り状の果実を絞ることができる。また本考案の果実絞り具は、代表的な柑橘類であるレモンの他、オレンジ、柚子、ダイダイ、カボス、スダチ、ポンカン、キンカン等、さまざまな種類の大きさの異なる果実に幅広く使用できることは言うまでもない。
【符号の説明】
【００２９】１    果実絞り具
２    本体部
３    中央部
４    先方部
５    後方部
１０  貫通保持部
１１  先端部
２０  巻取部
２１  鉤部
３０  回動部
３１  回転軸
３２  操作部
Ａ    果実
Ｂ    果汁
【図１】
0003153884.tif 000003
【図２】
0003153884.tif 000004
【図３】
0003153884.tif 000005
【図４】
0003153884.tif 000006
【図５】
0003153884.tif 000007